(57)【要約】【課題】  張出しスラブの補強にあたり、経済の問題、および作業用地の確保を図りつつ、増加する作用、鋼材腐食等の耐力低下に対応することができる、張出しスラブの補強工法を提供する。【解決手段】  張出しスラブの補強工法において、張出しスラブ３１に部分的増厚とアンカー筋を併用し、前記張出しスラブ３１の鉄筋への引張応力を低減し、応力の有効幅を考慮して柱・梁接合部付近を部分的かつ効果的に増厚し、あと施工アンカーによりせん断補強筋および鋼板を配置し、前記補強部材３０近傍の張出しスラブに集中して生じる応力を緩和し、前記補強部により既設構造物との一体性を高める。【選択図】  図１０
2016113755.tif 000002
【特許請求の範囲】
【請求項１】
張出しスラブに部分的増厚とアンカー筋を併用し、前記張出しスラブの鉄筋への引張応力を低減し、応力の有効幅を考慮して柱・梁接合部付近を部分的かつ効果的に増厚し、あと施工アンカーによりせん断補強筋および補強部材を配置し、前記補強部材近傍の張出しスラブに集中して生じる応力を緩和し、前記補強部により既設構造物との一体性を高めることを特徴とする張出しスラブの補強工法。
【請求項２】
請求項１記載の張出しスラブの補強工法において、
（ａ）張出しスラブの下面の根元から先端まで橋軸直角方向の一部を相互に間隔をあけて増厚し、
（ｂ）この増厚部分の下端部に柱又は縦梁に適宜本数のあと施工アンカー筋を配置して、これを増厚部分の軸方向鉄筋とし、
（ｃ）この軸方向鉄筋の一端のスラブに鉛直下向きに鉄筋を打込み、軸方向鉄筋を囲むように直角に曲げ、他端の軸方向鉄筋位置にフックを形成し、これをスターラップの一部とし、
（ｄ）前記軸方向鉄筋の他端のスラブに鉛直下向きに鉄筋を打込み、あと施工アンカーを囲むように直角に曲げ、逆側の軸方向鉄筋位置でフックを形成し、これをスターラップの一部とし、
（ｅ）前記スターラップの一部で重なった部分を重ね継手とし、前記増厚部分のスターラップとし、
（ｆ）前記増厚部分を型枠で囲み、あと施工アンカーまたは型枠と張出しスラブとスラブ上に設置した鋼板を縫うボルトとナットで前記型枠をスラブの下面に固定し、
（ｇ）前記型枠に充填材を充填することを特徴とする張出しスラブの補強工法。
【請求項３】
請求項２記載の張出しスラブの補強工法において、前記型枠は、補強終了後も解体しない打込み型枠（永久型枠）とすることを特徴とする張出しスラブの補強工法。
【請求項４】
請求項２記載の張出しスラブの補強工法において、前記充填材がグラウト、モルタル又はコンクリートであることを特徴とする張出しスラブの補強工法。
【請求項５】
請求項４記載の張出しスラブの補強工法において、前記コンクリートが高流動コンクリートであることを特徴とする張出しスラブの補強工法。
【請求項６】
請求項１又は２記載の張出しスラブの補強工法において，高架橋を支える柱が等間隔で並んだラーメン高架橋であることを特徴とする張出しスラブの補強工法。
【請求項７】
請求項６記載の張出しスラブの補強工法において，前記増厚ピッチは、ラーメン高架橋の柱ピッチ、増厚幅は、ラーメン高架橋の略柱幅、増厚高さは、ラーメン高架橋の略縦梁高とすることを特徴とする張出しスラブの補強工法。
【請求項８】
請求項６記載の張出しスラブの補強工法において、張出しスラブの増厚位置はラーメン高架橋の柱位置とすることを特徴とする張出しスラブの補強工法。
【請求項９】
請求項６記載の張出しスラブの補強工法において、高架橋が高架橋を支える柱が等間隔で並んだラーメン高架橋に挟まれた桁部分であり、張出しスラブの増厚ピッチは、桁部分の前後にあるラーメン高架橋の柱ピッチとし、増厚幅は、桁部分の前後にあるラーメン高架橋の略柱幅とし、増厚高さは、桁部分の前後にあるラーメン高架橋の略縦梁高とすることを特徴とする張出しスラブの補強工法。
【請求項１０】
請求項１から９のいずれか一項記載の張出しスラブの補強工法において、前記張出しスラブおよび増厚部分の先端に下側補強鋼材および上側補強鋼材の２枚の補強鋼板を取り付け、この下側補強鋼板を取り付ける位置は、増厚部分の端面、張出しスラブの端面およびスラブの下面、高欄または防音壁の外側の一部とし、この下側補強鋼板を取り付ける幅は、増厚部分を中心に増厚部分の略３倍とし、増厚部分に対応する幅には、高欄または防音壁の外側の一部、張出しスラブと増厚部分を跨いで取付けるものとし、増厚部分以外に対応する幅には下側補強鋼材は、張出しスラブ端面、高欄または防音壁の一部の外側から、張出しスラブ下面にかけて取り付けるものとし、上側補強鋼板は、高欄または防音壁の一部から、張出しスラブの上面に取り付け、高欄または防音壁の内側の一部と張出しスラブの上面となす線でＬ字形に折曲げるものとし、上側補強鋼板を取り付ける幅は、増厚部分を中心に増厚部分の略３倍とし、下側補強鋼板と上側補強鋼板とは、張出しスラブと高欄または防音壁の一部を貫通させたボルトとナットおよび接着剤で固定し、下側補強鋼板と増厚部分にあっては下側補強鋼板を増厚部分にあと施工アンカーで固定することを特徴とする張出しスラブの補強工法。
【請求項１１】
請求項１から９のいずれか一項記載の張出しスラブの補強工法において、前記張出しスラブおよび増厚部分の先端に下側補強鋼材および上側補強鋼材の２枚の補強鋼板を取り付け、この下側補強鋼板を取付ける位置は、増厚部分の端面、張出しスラブの端面および下面、地覆の外側とし、この下側補強鋼板を取り付ける幅は、増厚部分を中心に増厚部分の略３倍とし、増厚部分に対応する幅には、高欄または防音壁の外側の一部、張出しスラブと増厚部分を跨いで取り付けるものとし、増厚部分以外に対応する幅には下側補強鋼材は、張出しスラブ端面、地覆の外側から、張出しスラブ下面にかけて設置するものとし、上側補強鋼板は、地覆の内側から、張出しスラブの上面に取り付けるものとし、地覆の内側の一部と張出しスラブの上面となす線でＬ字形に折り曲げるものとし、上側補強鋼板を取り付ける幅は、増厚部分を中心に増厚部分の略３倍とし、下側補強鋼板と上側補強鋼板とは、張出しスラブと地覆の一部を貫通させたボルトとナットおよび接着剤で固定し、下側鋼板と増厚部分にあっては下側鋼板を増厚部分にあと施工アンカーで固定することを特徴とする張出しスラブの補強工法。
【発明の詳細な説明】
【技術分野】
【０００１】
本発明は、張出しスラブの補強工法に係り、特にラーメン高架橋の張出しスラブの補強工法に関するものである。
【背景技術】
【０００２】
一般的に、ラーメン高架橋の張出しスラブの先端には高欄が配置されている。近年、高欄の老朽化に伴うリニューアルや、列車の高速化に伴う騒音対策等で高欄の嵩上げや防音壁の設置が必要となる場合がある。これらを実施した場合、張出しスラブに作用する死荷重が増加するだけでなく、受圧面積が増加した高欄や防音壁に対して風荷重が作用し、大きな曲げモーメント等が作用することで、張出しスラブの耐力が確保できなくなるケースがある。また、鋼材腐食により耐力が確保できなくなるケースがある。これに対する補強工法として、旧来、鋼板接着等の張出しスラブの全面的な補強工法が採用されてきた。
【０００３】
図１１は一般的なラーメン高架橋を示す図であり、１はラーメン高架橋、２はラーメン高架橋１の縦梁、３はラーメン高架橋１の横梁、４は張出しスラブである。
【０００４】
図１１から明らかなように、ラーメン高架橋１では柱の太さと柱間のピッチが等しくなるように設計される。
【０００５】
図１２は一般的なラーメン高架橋の張出しスラブ（張出し長２．８ｍ）の形状を示す形状図および配筋図、図１３は一般的なラーメン高架橋の張出しスラブ（張出し長２．３ｍ）の形状を示す形状図および配筋図、図１４は一般的なラーメン高架橋の張出しスラブ（張出し長２．８ｍ）の形状を示す上面図および下面図、図１５は一般的なラーメン高架橋の張出しスラブ（張出し長２．３ｍ）の形状を示す上面図および下面図である。各部に配置される鉄筋の配置の一例が示されている。
【０００６】
図１２から明らかなように張出しスラブは、柱の根元から張出しスラブ先端に向かって、徐々に細くなるように設計される。
【先行技術文献】
【特許文献】
【０００７】
【特許文献１】特許第４０２５７９３号
【非特許文献】
【０００８】
【非特許文献１】「鉄筋コンクリートの歴史・鉄道構造物」，松本嘉司，土木学会論文集  第４２６号／Ｖ−１４・１９９１年２月，ｐｐ．２３−２８
【非特許文献２】「東海道新幹線鉄道橋梁の大規模改修による予防保全］、関雅紀、橋梁と基礎  ２０１４年４月，ｐｐ．１３−１８
【発明の概要】
【発明が解決しようとする課題】
【０００９】
高欄の嵩上げや防音壁の設置を実施した場合、張出しスラブに作用する死荷重が増加するだけでなく、受圧面積が増加した高欄や防音壁に対して風荷重が作用し、大きな曲げモーメント等が作用することで、張出しスラブの耐力が確保できなくなるケースがある。また、鋼材腐食により耐力が確保できなくなるケースがある。このような状況に対して、経済的かつ効果的な張出しスラブの補強が期待される。ところが、張出しスラブを補強する場合、施工範囲が広範囲に及ぶため、経済の問題、および作業用地の確保が問題となっている。
【００１０】
本発明は、上記状況に鑑みて、張出しスラブの補強にあたり、経済の問題、および作業用地の確保を図りつつ、増加する作用、鋼材腐食等の耐力低下に対応することができる、張出しスラブの補強工法を提供することを目的とする。
【課題を解決するための手段】
【００１１】
本発明は、上記目的を達成するために、
〔１〕張出しスラブの補強工法において、張出しスラブに部分的増厚とアンカー筋を併用し、前記張出しスラブの鉄筋への引張応力を低減し、応力の有効幅を考慮して柱・梁接合部付近を部分的かつ効果的に増厚し、あと施工アンカーによりせん断補強筋および補強部材を配置し、前記補強部材近傍の張出しスラブに集中して生じる応力を緩和し、前記補強部により既設構造物との一体性を高めることを特徴とする。
〔２〕上記〔１〕記載の張出しスラブの補強工法において、（ａ）張出しスラブの下面の根元から先端まで橋軸直角方向の一部を相互に間隔をあけて増厚し、（ｂ）この増厚部分の下端部に柱又は縦梁に適宜本数のあと施工アンカー筋を配置して、これを増厚部分の軸方向鉄筋とし、（ｃ）この軸方向鉄筋の一端のスラブに鉛直下向きに鉄筋を打込み、軸方向鉄筋を囲むように直角に曲げ、他端の軸方向鉄筋位置にフックを形成し、これをスターラップの一部とし、（ｄ）前記軸方向鉄筋の他端のスラブに鉛直下向きに鉄筋を打込み、あと施工アンカーを囲むように直角に曲げ、逆側の軸方向鉄筋位置でフックを形成し、これをスターラップの一部とし、（ｅ）前記スターラップの一部で重なった部分を重ね継手とし、前記増厚部分のスターラップとし、（ｆ）前記増厚部分を型枠で囲み、あと施工アンカーまたは型枠と張出しスラブとスラブ上に設置した鋼板を縫うボルトとナットで前記型枠をスラブの下面に固定し、（ｇ）前記型枠に充填材を充填することを特徴とする。
〔３〕上記〔２〕記載の張出しスラブの補強工法において、前記型枠は、補強終了後も解体しない打込み型枠（永久型枠）とすることを特徴とする。
〔４〕上記〔２〕記載の張出しスラブの補強工法において、前記充填材がグラウト、モルタル又はコンクリートであることを特徴とする。
〔５〕上記〔４〕記載の張出しスラブの補強工法において、前記コンクリートが高流動コンクリートであることを特徴とする張出しスラブの補強工法。
〔６〕上記〔１〕又は〔２〕記載の張出しスラブの補強工法において、高架橋を支える柱が等間隔で並んだラーメン高架橋であることを特徴とする。
〔７〕上記〔６〕記載の張出しスラブの補強工法において、前記増厚ピッチは、ラーメン高架橋の柱ピッチ、増厚幅は、ラーメン高架橋の略柱幅、増厚高さは、ラーメン高架橋の略縦梁高とすることを特徴とする。
〔８〕上記〔６〕記載の張出しスラブの補強工法において、張出しスラブの増厚位置はラーメン高架橋の柱位置とすることを特徴とする。
〔９〕上記〔６〕記載の張出しスラブの補強工法において、高架橋が高架橋を支える柱が等間隔で並んだラーメン高架橋に挟まれた桁部分であり、張出しスラブの増厚ピッチは、桁部分の前後にあるラーメン高架橋の柱ピッチとし、増厚幅は、桁部分の前後にあるラーメン高架橋の略柱幅とし、増厚高さは、桁部分の前後にあるラーメン高架橋の略縦梁高とすることを特徴とする。
〔１０〕上記〔１〕から〔９〕のいずれか一項記載の張出しスラブの補強工法において、前記張出しスラブおよび増厚部分の先端に下側補強鋼材および上側補強鋼材の２枚の補強鋼板を取り付け、この下側補強鋼板を取り付ける位置は、増厚部分の端面、張出しスラブの端面およびスラブの下面、高欄または防音壁の外側の一部とし、この下側補強鋼板を取り付ける幅は、増厚部分を中心に増厚部分の略３倍とし、増厚部分に対応する幅には、高欄または防音壁の外側の一部、張出しスラブと増厚部分を跨いで取付けるものとし、増厚部分以外に対応する幅には下側補強鋼材は、張出しスラブ端面、高欄または防音壁の一部の外側から、張出しスラブ下面にかけて取り付けるものとし、上側補強鋼板は、高欄または防音壁の一部から、張出しスラブの上面に取り付け、高欄または防音壁の内側の一部と張出しスラブの上面となす線でＬ字形に折曲げるものとし、上側補強鋼板を取り付ける幅は、増厚部分を中心に増厚部分の略３倍とし、下側補強鋼板と上側補強鋼板とは、張出しスラブと高欄または防音壁の一部を貫通させたボルトとナットおよび接着剤で固定し、下側補強鋼板と増厚部分にあっては下側補強鋼板を増厚部分にあと施工アンカーで固定することを特徴とする。
〔１１〕上記〔１〕から〔９〕のいずれか一項記載の張出しスラブの補強工法において、前記張出しスラブおよび増厚部分の先端に下側補強鋼材および上側補強鋼材の２枚の補強鋼板を取り付け、この下側補強鋼板を取付ける位置は、増厚部分の端面、張出しスラブの端面および下面、地覆の外側とし、この下側補強鋼板を取り付ける幅は、増厚部分を中心に増厚部分の略３倍とし、増厚部分に対応する幅には、高欄または防音壁の外側の一部、張出しスラブと増厚部分を跨いで取り付けるものとし、増厚部分以外に対応する幅には下側補強鋼材は、張出しスラブ端面、地覆の外側から、張出しスラブ下面にかけてとし、上側補強鋼板は、地覆の内側から、張出しスラブの上面に取り付けるものとし、地覆の内側の一部と張出しスラブの上面となす線でＬ字形に折り曲げるものとし、上側補強鋼板を取り付ける幅は、増厚部分を中心に増厚部分の略３倍とし、下側補強鋼板と上側補強鋼板とは、張出しスラブと地覆の一部を貫通させたボルトとナットおよび接着剤で固定し、下側鋼板と増厚部分にあっては下側鋼板を増厚部分にあと施工アンカーで固定することを特徴とする。
【発明の効果】
【００１２】
本発明によれば、張出しスラブの耐力を向上させることが出来るため、高欄の嵩上げや防音壁の設置に伴う張出しスラブの耐力不足を解決することが出来る。また，鋼材腐食等が生じた張出しスラブの耐力不足を解決することが出来る。施工範囲が張出しスラブと柱・梁接合部付近のみであるため、必ずしも、張出しスラブ全体に施工する必要がなく作業用地が小さくなるため、経済の問題を解決することが出来る。
【００１３】
張出しスラブと柱・梁接合部付近にアンカー筋を設置し、これを軸方向鉄筋とすることで、既設スラブに既に配置される鉄筋と同様に軸方向鉄筋とする。直角方向の鉄筋はアンカー筋として配置しせん断補強鉄筋の役割を有する。これに加えて、有害なひび割れを防止する観点から、必要に応じて、軸方向鉄筋と同方向および直角方向に鉄筋を配置する。
【００１４】
型枠は、アンカー筋で吊り、吊り型枠とする。更に型枠は永久型枠とし、高耐久性の型枠を用いることも出来る。
【００１５】
鉄筋と型枠を設置後、張出しスラブ先端付近からセメント材料（グラウトやモルタルおよびコンクリート）を型枠内に流し込み、張出しスラブ自体がもつ傾斜を利用して、投入口より空気を逃がすことで、既設スラブ内に空気孔等必要とせずに、既設スラブとの一体性をより容易に行うことが出来る。
【図面の簡単な説明】
【００１６】
【図１】本発明の着工前の張出しスラブを有するラーメン高架橋の斜視図である。
【図２】本発明の実施例を示す型枠セパレータ、せん断補強筋（アンカー筋）の取り付け状態を示す図である。
【図３】本発明の実施例を示す定着金物の設置状態を示す図である。
【図４】本発明の実施例を示す軸方向鉄筋（アンカー筋）の設置状態を示す図である。
【図５】本発明の実施例を示す側面・底面型枠の設置状態を示す図である。
【図６】本発明の実施例を示す妻型枠・高流動コンクリート投入口の設置状態を示す図である。
【図７】本発明の実施例を示す高流動コンクリート打設、投入口の撤去状態を示す図である。
【図８】本発明の実施例を示す補強部材の設置状態（アンカー、貫通ボルトの固定）を示す図である。
【図９】本発明の実施例を示す補強部材の設置（アンカー、貫通ボルトの固定）状態を示す図である。
【図１０】本発明の実施例を示す張出しスラブの補強工法の完成（防音壁嵩上げ）状態を示す斜視図である。
【図１１】一般的なラーメン高架橋を示す図である。
【図１２】一般的なラーメン高架橋の張出しスラブ（張出し長２．８ｍ）の形状を示す形状図および配筋図である。
【図１３】一般的なラーメン高架橋の張出しスラブ（張出し長２．３ｍ）の形状を示す形状図および配筋図である。
【図１４】一般的なラーメン高架橋の張出しスラブ（張出し長２．８ｍ）の形状を示す上面図および下面図である。
【図１５】一般的なラーメン高架橋の張出しスラブ（張出し長２．３ｍ）の形状を示す上面図および下面図である。
【発明を実施するための形態】
【００１７】
張出しスラブの補強工法は、張出しスラブに部分的増厚とアンカー筋を併用し、前記張出しスラブの鉄筋への引張応力を低減し、応力の有効幅を考慮して柱・梁接合部付近を部分的かつ効果的に増厚し、あと施工アンカーによりせん断補強筋および補強部材を配置し、前記補強部材近傍の張出しスラブに集中して生じる応力を緩和し、前記補強部により既設構造物との一体性を高める。
【実施例】
【００１８】
以下、本発明の実施の形態について詳細に説明する。
【００１９】
図１は本発明の着工前の張出しスラブを有するラーメン高架橋の斜視図である。
【００２０】
この図において、１１はラーメン高架橋、１２は縦梁、１３は横梁、１４は張出しスラブ、１５は地覆、１６は高欄または防音壁である。
【００２１】
ラーメン高架橋１１は鉄構造物の一般的な形状であり、若干の寸法の相違はあっても、本発明の張出しスラブ１４の補強工法に容易に対応可能である。また、設置した補強部材は景観を考慮し、幅を高架橋柱の幅と同一に、高さを縦梁および横梁の高さと同一にすること前提に寸法を設定しているが、これよりも寸法が変化する場合もある。
【００２２】
図２は本発明の実施例を示す型枠セパレータ、せん断補強筋（アンカー筋）の取り付け状態を示す図、図３は本発明の実施例を示す定着金物の設置状態を示す図、図４は本発明の実施例を示す軸方向鉄筋（アンカー筋）の設置状態を示す図、図５は本発明の実施例を示す側面・底面型枠の設置状態を示す図、図６は本発明の実施例を示す妻型枠・高流動コンクリート投入口の設置状態を示す図、図７は本発明の実施例を示す高流動コンクリート打設、投入口の撤去状態を示す図で、図８は本発明の実施例を示す補強鋼板の設置状態（アンカー、貫通ボルトの固定）を示す図、図９は本発明の実施例を示す補強部材の設置（アンカー、貫通ボルトの固定）状態を示す図、図１０は本発明の実施例を示す張出しスラブの補強工法の完成（防音壁嵩上げ）状態を示す斜視図である。
【００２３】
これらの図において、２１は型枠セパレータ、２２はせん断補強筋（アンカー筋）、２３は定着金物、２４は軸方向鉄筋（アンカー筋）、２５は側面型枠、２６は底面型枠、２７は妻型枠、２８は高流動コンクリート投入口、２９は高流動コンクリート打設体、３０は補強鋼板（アンカー、貫通ボルトの固定）、３１は嵩上げされた防音壁である。
【００２４】
上記したように、張出しスラブと柱・梁接合部付近にアンカー筋２２を設置し、これを軸方向鉄筋２４とすることで、既設スラブに既に配置される鉄筋と同様に軸方向鉄筋２４とする。直角方向の鉄筋はアンカー筋２２として配置しせん断補強鉄筋の役割を有する。これに加えて，有害なひび割れを防止する観点から、必要に応じて、軸方向鉄筋と同方向および直角方向に鉄筋を配置する。
【００２５】
型枠２５，２６，２７は、アンカー筋２２で吊り、吊り型枠とする。更に型枠は永久型枠とし、高耐久性の型枠を用いることも出来る。これらの作業は足場を使用せず、高所作業車を利用して作業することができる。
【００２６】
これにより、ラーメン高架橋の張出しスラブの補強工法の作業の迅速化と工期の短縮を図ることが出来る。
【００２７】
張出しスラブ先端から型枠２５，２６，２７内に流し込むセメント材料（高流動コンクリートやグラウト、モルタル）を注入し、張出しスラブ自体がもつ傾斜を利用して、投入口２８より空気を逃がすことで、既設スラブ内に空気孔等必要とせずに、既設スラブとの間に空隙を生じないように充填できる。
【００２８】
加えて、張出しスラブおよび増厚部分の先端には、補強鋼板３０を取り付ける。補強鋼板を取り付ける位置は、増厚部分の端面、張出しスラブの端面および下面、張出しスラブの上面とし、補強鋼板を取り付ける幅は、増厚部分を中心に増厚幅の３倍とし、補強鋼板を取り付ける高さは、増厚部分に対しては、張出しスラブと増厚部分を跨ぐものとし、増厚部分以外では、張出しスラブ端面から、下面にかけてＬ字形に折曲げるものとする。補強補強鋼板は、張出しスラブおよび増厚部分にアンカーと接着剤によって固定し、増厚部分以外では、張出しスラブ端面から、下面にかけてＬ字形に折曲げた鋼板とスラブ上面の鋼板を、張出しスラブを貫通させたネジボルトと接着剤で固定する。
【００２９】
補強鋼板は、補強鋼板近傍の張出しスラブに集中して生じる応力を緩和し、補強鋼板と既設構造物との一体性を高めることが出来る。
【００３０】
なお、本発明は上記実施例に限定されるものではなく、本発明の趣旨に基づき種々の変形が可能であり、これらを本発明の範囲から排除するものではない。
【産業上の利用可能性】
【００３１】
本発明のラーメン高架橋の張出しスラブの補強工法は、ラーメン高架橋の張出しスラブの耐力を向上させることが出来るため、高欄の嵩上げや防音壁の設置に伴う張出しスラブの耐力不足を解決することが出来る。また、鋼材腐食等が生じた張出しスラブの耐力不足を解決する工法として利用可能である。
【符号の説明】
【００３２】
１，１１    ラーメン高架橋
２，１２    縦梁
３，１３    横梁
４，１４    張出しスラブ
１５    地覆
１６    高欄または防音壁
２１    型枠セパレータ
２２    せん断補強筋（アンカー筋）
２３    定着金物
２４    軸方向鉄筋（アンカー筋）
２５    側面型枠
２６    底面型枠
２７    妻型枠
２８    高流動コンクリート投入口
２９    高流動コンクリート打設体
３０    補強鋼板（アンカー、貫通ボルトの固定）
３１    嵩上げされた防音壁
【図１】
2016113755.tif 000003
【図２】
2016113755.tif 000004
【図３】
2016113755.tif 000005
【図４】
2016113755.tif 000006
【図５】
2016113755.tif 000007
【図６】
2016113755.tif 000008
【図７】
2016113755.tif 000009
【図８】
2016113755.tif 000010
【図９】
2016113755.tif 000011
【図１０】
2016113755.tif 000012
【図１１】
2016113755.tif 000013
【図１２】
2016113755.tif 000014
【図１３】
2016113755.tif 000015
【図１４】
2016113755.tif 000016
【図１５】
2016113755.tif 000017